(57)【要約】  プロセス流体温度推定システム（２００）は、プロセスパイプ（１００）の外面（１１６）を感知するように構成された感温素子（２５４）が内部に配置されたセンサカプセル（２０６）を含む。プロセス流体温度推定システム（２００）は、センサカプセル（２０６）に結合され、温度とともに変化する、少なくとも１つの感温素子（２５４）の特性を検出し、センサカプセル温度情報を提供するように構成された測定回路（２２８）を含む。コントローラ（２２２）は、測定回路（２２８）に結合され、基準温度を取得し、基準温度及びセンサカプセル温度情報を用いた伝熱計算を使用して、推定プロセス温度出力を生成するように構成される。プロセス流体温度推定システム（２００）は、プロセスパイプ（１００）の外面にプロセス流体温度推定システム（２００）を取り付けるように構成された取付けアセンブリ（３０２）を含み、取付けアセンブリ（３０２）の一部は、プロセスパイプ（１００）の外面（１１６）からオフセットされている。
2022501599.tif 000002
【特許請求の範囲】
【請求項１】
プロセスパイプの外面を感知するように構成された少なくとも１つの感温素子が内部に配置されたセンサカプセル、
センサカプセルに結合された測定回路であって、温度とともに変化する、少なくとも１つの感温素子の特性を検出し、センサカプセル温度情報を提供するように構成された測定回路、並びに
測定回路に結合されたコントローラであって、基準温度を取得し、基準温度及びセンサカプセル温度情報を用いた伝熱計算を使用して推定プロセス温度出力を生成するように構成されるコントローラ、
を含むプロセス流体温度推定システムと、
プロセスパイプの外面にプロセス流体温度推定システムを取り付けるように構成された取付けアセンブリであって、取付けアセンブリの一部が、プロセスパイプの外面からオフセットされている取付けアセンブリと、
を含むプロセス流体温度推定システム。
【請求項２】
取付けアセンブリが、プロセスパイプの外面からオフセットされているクランプ本体を含む、請求項１記載のプロセス流体温度推定システム。
【請求項３】
プロセスパイプの外面からクランプ本体をオフセットするように構成されたスタンドオフをさらに含む、請求項１記載のプロセス流体温度推定システム。
【請求項４】
スタンドオフが、クランプ本体の対応するねじ山部分と係合するように構成されたねじ山部分を含む、請求項３記載のプロセス流体温度推定システム。
【請求項５】
スタンドオフが、作動時にクランプ本体のオフセット距離を調節するユーザ作動可能部分を含む、請求項４記載のプロセス流体温度推定システム。
【請求項６】
スタンドオフが、プロセスパイプの外面に接触するためにクランプ本体に結合された複数の支柱を含む、請求項３記載のプロセス流体温度推定システム。
【請求項７】
スタンドオフが、プロセスパイプの外面に接触するように構成された接触部分を含み、接触部分が、スタンドオフの別の部分とは異なる材料を含む、請求項３記載のプロセス流体温度推定システム。
【請求項８】
クランプ本体が、設置されたプロセスパイプ上で互いに結合されるように構成された２つ以上の連動片を含み、その結果、２つ以上の連動片の結合中に、プロセスパイプの流れが継続する、請求項２記載のプロセス流体温度推定システム。
【請求項９】
取付けアセンブリの一部とプロセスパイプとの間に配置された断熱体をさらに含む、請求項１記載のプロセス流体温度推定システム。
【請求項１０】
断熱体が、センサカプセルの周りに配置され、プロセスパイプの外面に対してセンサカプセルを断熱する、請求項９記載のプロセス流体温度推定システム。
【請求項１１】
クランプ本体が、センサカプセルを受容し、センサカプセルに結合するように構成されたアパーチャを含む、請求項２記載のプロセス流体温度推定システム。
【請求項１２】
センサアセンブリに結合するように構成されたセンサアセンブリ受容機構、
クランプの一部がプロセスパイプからある距離だけオフセットされるように、プロセスパイプにクランプを結合するように構成されたプロセスパイプ結合機構、
を含む、プロセス流体温度推定システム用のクランプ。
【請求項１３】
プロセスパイプ結合機構が、
プロセスパイプからのオフセット距離でクランプの一部を結合するように構成された複数のスタンドオフを含む、請求項１２記載のクランプ。
【請求項１４】
プロセスパイプ結合機構が、
クランプの本体内の複数のねじ穴を含み、
複数のスタンドオフが、複数のねじ穴を利用してクランプに結合する、請求項１３記載のクランプ。
【請求項１５】
複数のスタンドオフの各々が、
プロセスパイプに接触するように構成された接触部分と、
クランプに結合するように構成されたクランプ部分と、を含む、請求項１３記載のクランプ。
【請求項１６】
接触部分が、クランプ部分とは異なる材料を含む、請求項１５記載のクランプ。
【請求項１７】
クランプとプロセスパイプとの間に配置されるように構成された断熱体をさらに備える、請求項１２記載のクランプ。
【請求項１８】
センサアセンブリ受容機構が、センサアセンブリの対応するねじ山部分を受容するように構成されたねじ穴を含む、請求項１２記載のクランプ。
【請求項１９】
導管に取付けアセンブリを結合するステップ、ここで、取付けアセンブリが、スタンドオフ距離で導管に結合するように構成されたクランプを含み、
導管に感知アセンブリを結合するステップ、
感知アセンブリを用いて、導管の外面のスキン温度を感知するステップ、
基準温度を取得するステップ、及び
スキン温度と、基準温度と、導管の公知の熱伝導率とに基づいて、導管内のプロセス流体の温度を決定するステップ、
を含む、導管内のプロセス流体温度を推定する方法。
【請求項２０】
導管に取付けアセンブリを結合するステップが、
第１のクランプ部分と第２のクランプ部分とを整列させるステップ、及び
第１のクランプ部分の第１の嵌合機構と第２のクランプ部分の第２の嵌合機構とを嵌合させるステップ、を含む、請求項１９記載の方法。
【請求項２１】
導管に取付けアセンブリを結合するステップが、
第１のクランプ部分と第２のクランプ部分とを整列させるステップ、及び
第１のクランプ部分の雄の嵌合機構と第２のクランプ部分の雌の嵌合機構とを嵌合させるステップ、を含む、請求項１９記載の方法。
【請求項２２】
基準温度を取得するステップが、基準温度を示すプロセス通信を受信するステップを含む、請求項１９記載の方法。
【発明の詳細な説明】
【技術分野】
【０００１】
背景技術
多くの工業プロセスは、パイプ又は他の導管を通してプロセス流体を運ぶ。そのようなプロセス流体には、液体、ガス、及び場合によっては混入固体が含まれ得る。これらのプロセス流体流は、非限定的に、衛生的な食品及び飲料の製造、水処理、高純度医薬品の製造、化学処理、炭化水素の抽出及び処理を含む炭化水素燃料産業、並びに研磨剤及び腐食性スラリーを利用する水圧破砕技術を含む様々な産業のいずれにも見出され得る。
【０００２】
一般的には、温度センサがサーモウェル内に配置され、サーモウェルが導管のアパーチャを通してプロセス流体流に挿入される。ただし、このアプローチは、プロセス流体が非常に高温であるか、非常に腐食性であるか、その両方であり得るという点で、常に実用的であるとは限らない。加えて、サーモウェルは、一般的に、導管内にねじ付きポート又は他の堅牢な機械的マウント／シールを必要とするため、規定された位置でプロセス流体流システム内に設計されなければならない。したがって、サーモウェルは、正確なプロセス流体温度を提供するのに有用であるが、多くの制限を有する。
【０００３】
さらに最近では、プロセス流体温度は、パイプなどのプロセス流体導管の外部温度を測定し、熱流計算を使用することによって推定されている。この外部アプローチは、導管にアパーチャ又はポートを画定する必要がないため、非侵襲的であると考えられる。したがって、そのような非侵入的アプローチは、導管に沿った実質的に任意の位置に配置することができる。ただし、場合によっては、導管の外面温度は、温度センサの通常の動作範囲を超える可能性がある。したがって、非侵襲的プロセス流体温度推定技術を適用することができる用途の数を拡大する必要がある。
【発明の概要】
【０００４】
プロセス流体温度推定システムは、プロセスパイプの外面を感知するように構成された感温素子が内部に配置されたセンサカプセルを含む。プロセス流体温度推定システムは、センサカプセルに結合され、温度とともに変化する、少なくとも１つの感温素子の特性を検出し、センサカプセル温度情報を提供するように構成された測定回路と、測定回路に結合されたコントローラとを含み、コントローラは、基準温度を取得し、基準温度及びセンサカプセル温度情報を用いた伝熱計算を使用して推定プロセス温度出力を生成するように構成される。プロセス流体温度推定システムは、プロセスパイプの外面にプロセス流体温度推定システムを取り付けるように構成された取付けアセンブリを含み、取付けアセンブリの一部は、プロセスパイプの外面からオフセットされている。
【０００５】
この「発明の概要」は、以下の「発明を実施するための形態」でさらに説明される、簡略化された形式の概念の選択を紹介するために提供される。この「発明の概要」は、特許請求される主題の主要な特徴又は本質的な特徴を特定することを意図したものではなく、また、特許請求される主題の範囲を決定する助けとして使用されることを意図したものでもない。特許請求される主題は、背景に記載された何らかの又はすべての欠点を解決する実装に限定されない。
【図面の簡単な説明】
【０００６】
【図１Ａ】本発明の実施態様が特に適用可能な熱流測定システムの概略図である。
【図１Ｂ】本発明の実施態様が特に適用可能なセンサカプセルの概略断面図である。
【図２】熱流測定システム内の、熱流測定システム内の回路のブロック図である。
【図３】高温熱流測定システムの概略図である。
【図４】本発明の別の実施態様による高温熱流測定システムの概略図である。
【図５】クランプシステムの一例の斜視図である。
【図６】熱流測定システムの一例の動作方法である。
【発明を実施するための形態】
【０００７】
上述のように、プロセス流体温度は、パイプなどのプロセス流体導管の外部温度を測定し、熱流計算を使用することによって推定されている。そのようなシステムは、一般的に、パイプスキン（外面）温度Ｔｓｋｉｎ、及び伝送器端子温度などの基準温度、並びに熱流計算における熱インピーダンス値を使用して、導管内のプロセス流体温度を推測又は推定する。この特徴は、一般的に、プロセス流体から伝送器端子までの熱伝導率が分かっていることを必要とするため、センサが一般的にプロセス流体温度伝送器に接続されることを必要とする。
【０００８】
理想的な状況では、パイプ外表面に可能な限り近い位置でパイプに締め付けられた感温素子によって、パイプスキン温度が測定される。この密接な結合は、感温素子とプロセス流体との間の最小熱インピーダンスから生じる時定数の減少によって、プロセス流体温度の変化に対する感度を改善することを可能にする。
【０００９】
ただし、感温素子とパイプの外面との間の密接な接続を維持するために現在使用されているクランプも、いくらかの測定誤差をもたらし得る。例えば、パイプとの大きな表面接触を有するクランプは、感温素子の精度に影響を及ぼすヒートシンクとして作用し得る。例えば、プロセスからの漂遊熱がクランプを通って伝送器に移動し、これにより、感知されたスキン温度又は感知された基準温度に影響が及ぼされ得る。したがって、最小表面接触を有するクランプを使用して、測定精度に対する熱漂遊の影響を最小限に抑えることができる。
【００１０】
さらに、現在使用されているクランプは、プロセスパイプに対して感温素子を断熱するために最適化されていない。パイプ外表面に対して感温素子を断熱して、外部熱要因が感知に影響を及ぼすのを最小限に抑えることが有益であり得る。したがって、プロセスパイプからある程度のスタンドオフを有するクランプを使用して、断熱体を収容し、測定精度を高めることができる。
【００１１】
本明細書に記載される実施態様は、一般的に、クランプとプロセスパイプとの間の表面接触を減少させること、及びプロセスパイプからクランプを離すことの両方の利点を活用する。
【００１２】
図１Ａは、熱流測定システムの一例を示す概略図である。図示されるように、システム２００は、一般的に、パイプクランプ２０２を含み、パイプクランプ２０２は、導管又はパイプ１００の周囲を締め付けるように構成される。パイプクランプ２０２は、クランプ部分２０２がパイプ１００に位置決めされ締め付けられることを可能にするために、１つ以上のクランプ耳２０４を有し得る。パイプクランプ２０２が開いてパイプ上に位置決めされ、その後、クランプ耳２０４によって閉じられ固定され得るように、パイプクランプ２０２は、クランプ耳２０４の１つをヒンジ部分に置き換えてもよい。図１に関して図示されるクランプは特に有用であるが、他の例では、パイプの外面の周りにシステム２００を確実に位置決めするための任意の好適な機械的構成が使用され得る。
【００１３】
システム２００は、熱流センサカプセル２０６を含み、熱流センサカプセル２０６は、ばね２０８によってパイプ１００の外面１１６に対して付勢されている。用語「カプセル」は、いかなる特定の構造又は形状も意味することを意図するものではなく、したがって、様々な形状、サイズ及び構成で形成され得る。ばね２０８が図示されているが、当業者であれば、様々な技術を使用して、外面１１６と連続的に接触するようにセンサカプセル２０６を付勢することができることを理解するであろう。センサカプセル２０６は、一般的に、抵抗温度装置（ＲＴＤ）などの１つ以上の感温素子を含む。カプセル２０６内のセンサは、ハウジング２１０内の伝送器回路に電気的に接続され、伝送器回路は、センサカプセル２０６から１つ以上の温度測定値を取得し、センサカプセル２０６からの測定値、及びハウジング２１０内で測定された温度又は他の方法でハウジング２１０内の回路に提供される温度などの基準温度に基づいて、プロセス流体温度の推定値を計算するように構成される。
【００１４】
一例では、基本的な熱流計算は以下ように単純化され得る：
Ｔｃｏｒｒｅｃｔｅｄ＝Ｔｓｋｉｎ＋（Ｔｓｋｉｎ−Ｔｒｅｆｅｒｅｎｃｅ）＊（Ｒｐｉｐｅ／Ｒｓｅｎｓｏｒ）。
【００１５】
この式では、Ｔｓｋｉｎは、導管の外面の測定温度である。さらに、Ｔｒｅｆｅｒｅｎｃｅは、Ｔｓｋｉｎを測定する温度センサからの固定熱インピーダンス（Ｒｓｅｎｓｏｒ）を有する位置に対して取得される第２の温度である。Ｒｐｉｐｅは、導管の熱インピーダンスであり、パイプ材料情報、パイプ壁厚情報を取得することによって手動で取得され得る。さらに、又は代替的に、Ｒｐｉｐｅに関連するパラメータを較正中に決定し、その後の使用のために記憶することができる。したがって、ハウジング２１０内の回路は、上記のような好適な熱流束計算を使用して、プロセス流体温度の推定値（Ｔｃｏｒｒｅｃｔｅｄ）を計算し、好適な装置及び／又は制御室に、そのようなプロセス流体温度に関する表示を伝達することができる。
【００１６】
図１Ｂは、本発明の実施態様が特に適用可能なセンサカプセルの概略図である。センサカプセル２０６は、一般的に、円筒形の側壁２５０と、それに結合されたエンドキャップ２５２とを含む。一例では、エンドキャップ２５２は銀から形成される。１つ以上のＲＴＤ素子２５４が、エンドキャップ２５２に近接して配置され、サーマルグリース２５６を介してエンドキャップ２５２と熱的に連通して設けられる。導体２５８は、ＲＴＤ素子２５４をハウジング２１０内の測定回路に電気的に結合する。一実施態様では、素子２５４は、薄膜ＲＴＤ技術に従って形成される。薄膜ＲＴＤは、一般的に、非常に頑丈であり、一般的に低コストであると考えられる。薄膜素子は、典型的には、温度感受性金属（白金など）の非常に薄い（．０００１インチなど）膜による小さなセラミックチップの被覆、次いで、レーザ切断又は化学物質若しくは化学的エッチングによって、金属膜中の抵抗経路として製造される。
【００１７】
図２は、本発明の実施態様が特に適用可能な、熱流測定システム２００のハウジング２１０内の回路のブロック図である。システム２００は、コントローラ２２２に結合された通信回路２２０を含む。通信回路２２０は、推定プロセス流体温度に関する情報を伝達することができる任意の好適な回路であり得る。通信回路２２０は、熱流測定システム２００がプロセス通信ループ又はセグメントを介してプロセス流体温度出力を通信することを可能にする。プロセス通信ループプロトコルの好適な例には、４〜２０ミリアンペアプロトコル、Ｈｉｇｈｗａｙ  Ａｄｄｒｅｓｓａｂｌｅ  Ｒｅｍｏｔｅ  Ｔｒａｎｓｄｕｃｅｒ（ＨＡＲＴ（登録商標））プロトコル、ＦＯＵＮＤＡＴＩＯＮ（商標）Ｆｉｅｌｄｂｕｓプロトコル、及びＷｉｒｅｌｅｓｓＨＡＲＴプロトコル（ＩＥＣ  ６２５９１）が挙げられる。
【００１８】
熱流測定システム２００はまた、電力供給モジュール２２４を含み、電力供給モジュール２２４は、矢印２２６によって示されるように、システム２００の全構成要素に電力を供給する。熱流測定システム２００が、ＨＡＲＴ（登録商標）ループ、又はＦＯＵＮＤＡＴＩＯＮ（商標）Ｆｉｅｌｄｂｕｓセグメントなどの有線プロセス通信ループに結合される例では、電力モジュール２２４は、ループ又はセグメントから受容した電力を調整してシステム２００の様々な構成要素を動作させるための好適な回路を含んでもよい。したがって、そのような有線プロセス通信ループの実施態様では、電力供給モジュール２２４は、それが結合されているループによって装置全体が電力を供給されることを可能にする好適な電力調整を提供し得る。他の例では、無線プロセス通信が使用される場合、電力供給モジュール２２４は、電池などの電源、及び好適な調整回路を含んでもよい。
【００１９】
コントローラ２２２は、カプセル２０６内のセンサからの測定値と、ハウジング２１０内の端子温度などの追加の基準温度とを使用して、熱流に基づくプロセス流体温度推定値を生成することができる任意の好適な構成を含む。一例では、コントローラ２２２はマイクロプロセッサである。推定値を他の装置に通信するために、コントローラ２２２は通信回路２２０に通信可能に結合される。
【００２０】
測定回路２２８は、コントローラ２２２に結合され、１つ以上の温度センサ２３０から取得された測定値に関するデジタル表示を提供する。測定回路２２８は、１つ以上のアナログ−デジタル変換器及び／又は好適な多重化回路を含み、１つ以上のアナログ−デジタル変換器をセンサ２３０にインタフェースすることができる。加えて、測定回路２２８は、使用される様々なタイプの温度センサに適切であり得る好適な増幅及び／又は線形化回路を含むことができる。
【００２１】
図３は、本発明の実施態様が特に適用可能な熱流測定システムの概略図である。図３は、図１Ａに示す実施態様と多くの類似点を有し、同様の構成要素には同様の番号が付されている。図３に示す実施態様と図１Ａの実施態様との主な差は、センサカプセル２０６をパイプ１００に近接して固定するために使用されるクランプのタイプである。
【００２２】
図３に示すように、クランプ３０２は、図１Ａのクランプ２０２に取って代わる。クランプ３０２は、クランプ３０２が耳２０４を含み、センサアセンブリ２０１に結合するという点で、クランプ２０２と設計が同様である。クランプ３０２は、クランプ３０２がパイプ１００に接触しないという点で、クランプ２０２と異なる。代わりに、クランプ３０２は、パイプ１００から所定の距離だけ離れてスタンドオフ３０４によって保持される。
【００２３】
例示的に、４つのスタンドオフ、すなわち、スタンドオフ３０４−１、スタンドオフ３０４−２、スタンドオフ３０４−３及びスタンドオフ３０４−４がある。典型的な状況では、複数のスタンドオフは同じタイプである。図示されるように、各スタンドオフ３０４は異なるタイプのスタンドオフである。これは、パイプにクランプを固定するために使用され得るスタンドオフの異なる例を示す説明目的のためのものに過ぎない（例えば、クランプ３０２又はクランプ４０２）。例えば、スタンドアップ３０４−１は、ボルト、小ねじ又は同様の締結具を含む。３０４−２のスタンドは、クランプ３０２に結合されたシャフトを含む。スタンドオフ３０４−３は、止めねじを含む。スタンドオフ３０４−４は、ねじ棒並びにナット及び止め座金を含む。言うまでもなく、他のタイプのスタンドオフも使用することができる。
【００２４】
図３には、断熱体３０６も示されている。設備３０６は、センサカプセル２０６とパイプ１００との接合部の周りに配置される。断熱体３０６は、外部熱源が温度Ｔｓｋｉｎの測定精度に影響を及ぼすのを低減するように作用し得る。一例では、断熱体３０６は、カプセル２０６とパイプ１００との接合部の周りに留まらず配置され得る。いくつかの例では、断熱体３０６は、クランプ３０２の内径とパイプ１００の外径との間の空隙全体に配置され得る。
【００２５】
図４は、熱流測定システムの一例を示す概略図である。図４は、図１Ａ及び図３に示す例と多くの類似点を有し、同様の構成要素には同様の番号が付されている。図４に示す例と図３の例との差は、センサカプセル２０６をパイプ１００に近接して固定するために使用されるクランプ又は取付けアセンブリのタイプである。
【００２６】
図４に示すように、クランプ４０２は、図１Ａのクランプ２０２及び図３のクランプ３０２に取って代わる。図３のクランプ３０２と同様のクランプ４０２は、スタンドオフ３０４を有する。クランプ３０２又は２０２とは異なり、クランプ４０２は耳２０４を有しない。代わりに、クランプ４０２は、パイプ１００上に組み立てられ、嵌合部３０８によって一緒に保持される。嵌合部３０８は、ワイヤ放電加工（ＥＤＭ）、ウォータージェット加工、標準機などによってクランプ４０２の小片に切断された嵌合機構３１０を含む。
【００２７】
図５は、クランプ４０２の一例を示す斜視図である。図示されるように、クランプ４０２は２つの小片４１２を含む。別の例では、クランプ４０２は、単数の小片４１２を含んでもよい。他の例では、クランプ４０２は、２つよりも多い小片４１２を含んでもよい。例えば、クランプ４０２は、図示される２つの半片４１２の代わりに４つの四分片４１２を含んでもよい。小片４１２を一緒に結合するために、各小片４１２は、嵌合機構３１０又は嵌合機構３１２のいずれかを含む。言うまでもなく、嵌合機構３１０及び３１２の形状は、他の例では異なっていてもよい。
【００２８】
クランプ４０２は、非限定的に、鋼、ステンレス鋼、真鍮などを含む様々な異なる材料から作製することができる。
【００２９】
図示されるクランプ４０２は、様々なスタンドオフアパーチャ３１４を含む。スタンドオフアパーチャ３１４は、スタンドオフ３０４を受容及び結合して、プロセスパイプにクランプ４０２を取り付ける。例えば、スタンドオフアパーチャ３１４は、スタンドオフのねじ山に結合するねじ山を含むことができる。クランプを取り付ける際にスタンドオフを使用する利点は、許容可能なクランプ寸法公差が増加することである。例えば、スタンドオフを使用するクランプは、比較的大きなスタンドオフが使用される限り、それが結合しているパイプに比べて大幅に大きくなり得る。これまで、様々なサイズのパイプとともに使用するには、様々なクランプサイズが必要であった。
【００３０】
図示されるように、４つのスタンドオフ３０４があるが、他の例では３つよりも多いスタンドオフ３０４があってよい。同じく図示されるように、スタンドオフ３０４は単一の材料から構成される。他の例では、スタンドオフ３０４は、複数の材料を含んでもよい。例えば、スタンドオフ３０４の大部分は、構造材料（例えば、ステンレス鋼）から構成され得るのに対して、プロセスパイプに接触するスタンドオフ３０４の部分は、高温耐性などの特定の所望の熱特性を有する材料を含む。接触表面積が低減されるため、各スタンドオフ３０４の端部に、新奇性の高い材料が費用効果的に使用され得る。過去のクランプでは、プロセスパイプに接触するクランプの内側表面積全体を網羅しなければならなかったため、新奇な材料を使用することはコスト的に効果がなかった。
【００３１】
図６は、上記のシステムの動作の一例を示すフローチャートである。動作６００は、図４の構成要素に関して説明されているが、動作６００は、他のシステムとともに使用されてもよい。
【００３２】
動作６００は、クランプがプロセスパイプ上に配向されるブロック６１０で開始する。プロセスパイプ上にクランプを配向することは、ブロック６１２によって示されるように、各クランプ片の耳を整列させることを含み得る。例えば、図３のクランプ３０２のクランプ片の耳２０４を整列させること。プロセスパイプ上にクランプを配向することは、ブロック６１４によって示されるように、特許請求される小片の連動構成要素を係合させることを含み得る。例えば、図４の嵌合部３０８にクランプ４０２の連動構成要素を係合させること。言うまでもなく、プロセスパイプ上にクランプを配向することは、ブロック６１６によって示されるように、他の工程も含み得る。
【００３３】
動作６００は、必要に応じてクランプ構成要素が固定されるブロック６２０で継続する。例えば、図３のクランプ３０２のクランプ片の耳２０４は、プロセスパイプ上に固定された状態を維持するためにボルト締めされるか、他の方法で互いに結合されなければならない。
【００３４】
動作６００は、クランプがプロセスパイプに固定されるブロック６３０で継続する。クランプは、例えば、クランプ４０２のスタンドオフアパーチャ３１４を通して挿入されるスタンドオフ３０４など、クランプのアパーチャを通して挿入されるねじ付き締結具によってプロセスパイプに固定され得る。スタンドオフ３０４は、スタンドオフアパーチャ３１４のねじ付き機構と嵌合するねじ付き機構を有することができ、これにより、パイプ１００上にスタンドオフ３０４を締め付けることができる。
【００３５】
動作６００は、測定アセンブリがクランプに固定されるブロック６４０で継続する。クランプに測定アセンブリを固定することは、ブロック６２２によって示されるように、測定アセンブリが、クランプに含まれるねじ穴によって受容されることによって達成され得る。例えば、測定アセンブリアパーチャ３１６内のねじ山に対応するねじ山部分を有する測定アセンブリが、測定アセンブリアパーチャ３１６にねじ込まれる。測定アセンブリは、ブロック６４４によって示されるように、他の方法でもクランプに固定され得る。例えば、クランプが接続のためにパイプ上に配置される前に、測定アセンブリがクランプの一部に固定され得る。
【００３６】
動作６００は、所望であれば、測定部２０６がパイプ１００の外面に対して断熱されるブロック６５０で継続する。例えば、断熱体３０６が、測定部２０６とパイプ１００との間の接合部の周りに設置されて、外部熱源がパイプ１００の測定に影響を及ぼすのを低減する。
【００３７】
動作６００は、測定部２０６がパイプ１００の外面の温度を感知するブロック６６０で継続する。ブロック６７０では、測定部２０６の出力に基づいて、パイプ１００の外面の測定温度と、基準温度と、パイプの外面から固定基準温度位置までの熱流に関する熱伝導率情報とを使用して、パイプ１００内の流体の温度を推定することができる。
【００３８】
好ましい実施態様を参照して本発明を説明してきたが、当業者であれば、本発明の趣旨及び範囲から逸脱することなく、形態及び詳細に変更を加えることができることを認識するであろう。
【図１Ａ】
2022501599.tif 000003
【図１Ｂ】
2022501599.tif 000004
【図２】
2022501599.tif 000005
【図３】
2022501599.tif 000006
【図４】
2022501599.tif 000007
【図５】
2022501599.tif 000008
【図６】
2022501599.tif 000009
【国際調査報告】
2022501599.tif 000010
2022501599.tif 000011